(57)【要約】【課題】画像形成のために使用される色材の中、少なくとも１の色について濃，淡２種類の色材を用いる画像形成装置において、画像構造が複雑であるか否かに応じて濃，淡色材の使用割合を適切に制御する。【解決手段】画像中にエッジ画素の割合が多い場合、図６（ｂ）のような濃ブラック（Ｂｋ）の色材の使用割合が多い分版テーブルをＫデータの分版に用いることにより、版ずれ時の鮮鋭性の劣化を防ぐことを優先した画像形成を行う。画像中にエッジ画素の割合が少ない場合、図６（ａ）のような淡ブラック（Ｌｋ）の色材の使用割合が多い分版テーブルをＫデータの分版に用いることにより、粒状性の良さを優先した画像形成を行う。【選択図】図６
2007210183.tif 000002
【特許請求の範囲】
【請求項１】
画像形成のために使用される色材の中、少なくとも１の色の色材として濃，淡２種類の色材を用いる画像形成装置であって、
形成しようとする画像のデータから画像構造が複雑であるか否かを判断する第１の手段と、前記第１の手段の判断結果に応じて該画像の形成のための濃，淡色材の使用割合を制御する第２の手段とを有し、
前記第１の手段により画像構造が複雑であると判断された場合に前記第２の手段は淡色材より濃色材の使用割合を多くし、前記第１の手段により画像構造が複雑でないと判断された場合に前記第２の手段は濃色材より淡色材の使用割合を多くする、ことを特徴とする画像形成装置。
【請求項２】
前記第１の手段は、形成しようとする画像のデータよりエッジ画素を抽出し、エッジ画素が基準より多いか否かによって画像構造が複雑であるか否かを判断することを特徴とする請求項１に記載の画像形成装置。
【請求項３】
前記第１の手段は、形成しょうとする画像のデータを周波数空間へ変換し、高周波成分が基準より多いか否かによって画像構造が複雑であるか否かを判断することを特徴とする請求項１に記載の画像形成装置。
【請求項４】
形成しようとする画像中のオブジェクトを単位として、前記第１の手段による判断及び前記第２の手段による制御を行うことを特徴する請求項１，２又は３に記載の画像形成装置。
【請求項５】
形成しようとする画像中の文字オブジェクトに対しては、前記第２の手段は淡色剤より濃色材の使用割合を多くすることを特徴とする請求項４に記載の画像形成装置。
【請求項６】
画像形成のために使用される色材の中、少なくとも１の色の色材として濃，淡２種類の色材を用いる画像形成装置の制御方法であって、、
形成しようとする画像のデータから画像構造が複雑であるか否かを判断する第１の工程と、前記第１の工程の判断結果に応じて該画像の形成のための濃，淡色材の使用割合を制御する第２の工程とを有し、
前記第１の工程により画像構造が複雑であると判断された場合に前記第２の工程は淡色材より濃色材の使用割合を多くし、前記第１の工程により画像構造が複雑でないと判断された場合に前記第２の工程は濃色材より淡色材の使用割合を多くする、ことを特徴とする画像形成装置の制御方法。
【請求項７】
前記第１の工程は、形成しようとする画像のデータよりエッジ画素を抽出し、エッジ画素が基準より多いか否かによって画像構造が複雑であるか否かを判断することを特徴とする請求項６に記載の画像形成装置の制御方法。
【請求項８】
前記第１の工程は、形成しょうとする画像のデータを周波数空間へ変換し、高周波成分が基準より多いか否かによって画像構造が複雑であるか否かを判断することを特徴とする請求項６に記載の画像形成装置の制御方法。
【請求項９】
形成しようとする画像中のオブジェクトを単位として、前記第１の工程による判断及び前記第２の工程による制御を行うことを特徴する請求項６，７又は８に記載の画像形成装置の制御方法。
【請求項１０】
形成しようとする画像中の文字オブジェクトに対しては、前記第２の工程は淡色剤より濃色材の使用割合を多くすることを特徴とする請求項９に記載の画像形成装置の制御方法。
【発明の詳細な説明】
【技術分野】
【０００１】
本発明は、画像形成装置に係り、特に、画像形成のために使用される色材の中、少なくとも１の色の色材として濃，淡２種類の色材を用いる画像形成装置に関する。
【背景技術】
【０００２】
近年、インクジェットプリンタでは、同一の色味を有する濃，淡２種類のインクを備え、画像の低濃度領域で濃度の淡いインクを用いることで、粒状性を向上させ、ざらつきのない写真画像を実現するものが知られている。
【０００３】
電子写真プリンタでも同様の考え方で、同一の色味を有する濃，淡２種類のトナーを用いることにより、低濃度領域の粒状性を向上させることが可能である。特に、ブラックについて濃，淡トナーを用いることは、粒状性の向上に効果が大きい。これは、ブラックは、他の色よりも濃度が濃いために、ドットが目に付きやすく、粒状性を悪化させる原因となるからである。このような例として、特許文献１には、シアン、マゼンタ、イエロー、ブラックの４色のトナーに加え、濃度がブラックの略1/2の淡ブラックのトナーを用いる電子写真プリンタが記載されている。また、特許文献２には、濃，淡トナーを用い、画像が写真や絵などの中間調領域であるか文字領域であるかを判別し、中間調領域で淡トナーの使用を多くし、文字領域で濃トナーの使用を多くするる電子写真プリンタが記載されている。
【０００４】
【特許文献１】特開平8-171252号公報
【特許文献２】特開2001-290319号公報
【発明の開示】
【発明が解決しようとする課題】
【０００５】
一般に電子写真エンジンは、インクジェットプリンタなどの機構が簡単な画像形成装置に比べ、各色の版の位置あわせが難しく、版ずれが大きい。
【０００６】
このため、特許文献１に記載されているような淡ブラックを追加したプリンタでは、画像中の文字・線画やエッジ部分を濃，淡ブラックの両方を用いて再現した場合、濃ブラック版と淡ブラック版の間に版ずれが発生すると、文字・線画部やエッジ部分で像がぼけたり二重に見えたりしてしまい、鮮鋭性の劣った画像となってしまうという問題がある。
【０００７】
また、特許文献２記載の電子写真プリンタにおいては、写真や絵などの中間調領域に対しては淡トナーの使用を多くし、文字領域に対しては濃トナーの使用を多くする。しかし、中間調領域にも様々なものがあり、複雑な構造を多く含んだ写真や絵などでは、淡トナーの使用を多くしても粒状性向上の効果はあまり見られず、逆に、版ずれ時の鮮鋭性劣化の方が目立ってしまうという問題がある。
【０００８】
本発明は、以上の問題点に鑑み、少なくとも１の色について濃，淡２種類の色材を用いる画像形成装置において、濃，淡色材の使用割合を、形成しようとする画像に応じてより適切に制御し、高品質の画像形成を可能にすることを目的とする。
【課題を解決するための手段】
【０００９】
請求項１記載の発明は、画像形成のために使用される色材の中、少なくとも１の色の色材として濃，淡２種類の色材を用いる画像形成装置であって、形成しようとする画像のデータから画像構造が複雑であるか否かを判断する第１の手段と、前記第１の手段の判断結果に応じて該画像の形成のための濃，淡色材の使用割合を制御する第２の手段とを有し、前記第１の手段により画像構造が複雑であると判断された場合に前記第２の手段は淡色材より濃色材の使用割合を多くし、前記第１の手段により画像構造が複雑でないと判断された場合に前記第２の手段は濃色材より淡色材の使用割合を多くする、ことを特徴とする画像形成装置である。
【００１０】
請求項２記載の発明は、請求項１記載の発明に係る画像形成装置であって、前記第１の手段は、形成しようとする画像のデータよりエッジ画素を抽出し、エッジ画素が基準より多いか否かによって画像構造が複雑であるか否かを判断することを特徴とする画像形成装置である。
【００１１】
請求項３記載の発明は、請求項１記載の発明に係る画像形成装置であって、前記第１の手段は、形成しょうとする画像のデータを周波数空間へ変換し、高周波成分が基準より多いか否かによって画像構造が複雑であるか否かを判断することを特徴とする画像形成装置である。
【００１２】
請求項４記載の発明は、請求項１，２又は３記載の発明に係る画像形成装置であって、形成しようとする画像中のオブジェクトを単位として、前記第１の手段による判断及び前記第２の手段による制御を行うことを特徴する画像形成装置である。
【００１３】
請求項５記載の発明は、請求項４記載の発明に係る画像形成装置であって、形成しようとする画像中の文字オブジェクトに対しては、前記第２の手段は淡色剤より濃色材の使用割合を多くすることを特徴とする画像形成装置である。
【００１４】
請求項６記載の発明は、画像形成のために使用される色材の中、少なくとも１の色の色材として濃，淡２種類の色材を用いる画像形成装置の制御方法であって、形成しようとする画像のデータから画像構造が複雑であるか否かを判断する第１の工程と、前記第１の工程の判断結果に応じて該画像の形成のための濃，淡色材の使用割合を制御する第２の工程とを有し、前記第１の工程により画像構造が複雑であると判断された場合に前記第２の工程は淡色材より濃色材の使用割合を多くし、前記第１の工程により画像構造が複雑でないと判断された場合に前記第２の工程は濃色材より淡色材の使用割合を多くする、ことを特徴とする画像形成装置の制御方法である。
【００１５】
請求項７記載の発明は、請求項６記載の発明に係る画像形成装置の制御方法であって、前記第１の工程は、形成しようとする画像のデータよりエッジ画素を抽出し、エッジ画素が基準より多いか否かによって画像構造が複雑であるか否かを判断することを特徴とする画像形成装置の制御方法である。
【００１６】
請求項８記載の発明は、請求項６記載の発明に係る画像形成装置の制御方法であって、前記第１の工程は、形成しょうとする画像のデータを周波数空間へ変換し、高周波成分が基準より多いか否かによって画像構造が複雑であるか否かを判断することを特徴とする画像形成装置の制御方法である。
【００１７】
請求項９記載の発明は、請求項６，７又は８記載の発明に係る画像形成装置の制御方法であって、形成しようとする画像中のオブジェクトを単位として、前記第１の工程による判断及び前記第２の工程による制御を行うことを特徴する画像形成装置の制御方法である。
【００１８】
請求項１０記載の発明は、請求項９記載の発明に係る画像形成装置の制御方法であって、形成しようとする画像中の文字オブジェクトに対しては、前記第２の工程は淡色剤より濃色材の使用割合を多くすることを特徴とする画像形成装置の制御方法である。
【発明の効果】
【００１９】
請求項１，２，３，６，７，８記載の発明によれば、画像構造の複雑さに応じて濃，淡色材の使用割合を適切に制御することにより、画像構造が複雑な画像については版ずれ時の鮮鋭性の劣化を防止し鮮鋭性の良好な画像形成を行い、画像構造が複雑でない場合については粒状性の良好な画像形成を行うことができる。請求項４，５，８，１０記載の発明によれば、画像中のオブジェクト単位で、画像構造の複雑さに応じて濃，淡色材の使用割合を適切に制御することにより、画像構造が複雑なオブジェクトや文字オブジェクトについては版ずれ時の鮮鋭性の劣化を防止し鮮鋭性の良好な画像形成を行い、画像構造が複雑でないオブジェクトについては粒状性の良好な画像形成を行うことができる等の効果を得られる。
【発明を実施するための最良の形態】
【００２０】
図１は、本発明に係る画像形成装置の概略構成を示すブロック図である。この画像形成装置１００はコンピュータ１０１と直接又はネットワーク経由で接続される。
【００２１】
画像形成装置１００は、画像処理部１１１と作像部１１２とから構成される。画像処理部１１はコマンド解釈部１１３、画像展開部１１４、色変換部１１５及びディザ処理部１１６から構成される。
【００２２】
ユーザがコンピュータ１０１上のアプリケーションなどから印刷を指示すると、プリンタドライバ１１７を介してＰＤＬ（Printer  Description  Language）で記述されたプリントコマンドが画像形成装置１００へ送出される。プリンタコマンドは、文字／グラフィック／イメージの３種類のオブジェクトに対する描画コマンドからなるものである。
【００２３】
画像形成装置１００内の画像処理部１１１においては、コマンド解釈部１１３でオブジェクト毎に描画コマンドを解釈し、解釈結果に基づき画像展開部１１４で不図示の描画メモリ上にＲＧＢデータとして画像データを展開する。そして、色変換部１１５で、展開されたＲＧＢデータから、作像部１１２で使用される色材に対応したＣＭＹＢｋＬｋデータを生成する。色変換部１１５には、形成すべき画像のデータから画像構造が複雑であるか否かを判断する手段と、この手段による判断結果に応じて濃ブラック（Ｂｋ）トナー、淡ブラック（Ｌｋ）トナーの使用割合を制御する手段が含まれるが、その詳細については後述する。
【００２４】
作像部１１２においては、シアン（Ｃ）、マゼンタ（Ｍ）、イエロー（Ｙ）、濃ブラック（Ｂｋ）、淡ブラック（Ｌｋ）の色材（トナー）を画像形成に用いる。すなわち、ブラックについて濃，淡トナーを用いる例である。ただし、ブラック以外の色について濃，淡トナーを用いる場合でも、後述するような本発明による濃，淡トナーの使用割合の制御を適用可能である。色変換部１１５で生成されたＣＭＹＢｋＬｋデータは、ディザ処理部１１６によりディザ処理を施された後に作像部１１２へ送られる。
【００２５】
なお、コンピュータ１０１から画像のＲＧＢデータが画像形成装置１００へ送出される場合、そのＲＧＢデータを直接的に色変換部１１５に入力して処理させることができることは当然であり、かかる態様も本発明に包含される。
【００２６】
図２は作像部１１２の概略図である。作像部１１２は、淡ブラック（Ｌｋ）版の作像ステーション３５、ブラック（Ｂｋ）版の作像ステーション３６、シアン（Ｃ）版の作像ステーション３７、マゼンタ（Ｍ）版の作像ステーション３８、イエロー（Ｙ）版の作像ステーション３９を有する。これら作像ステーションは同一構成であり、その構成要素として感光体５，１１，１７，２３，２９、帯電チャージャ６，１２，１８，２４，３０、現像器８，１４，２０，２６，３２、クリーニングブレード９，１５，２１，２７，３３、一次転写チャージャ１０，１６，２２，２８，３４、及び、感光体５，１１，１７，２３，２９への露光ビーム７，１３，１９，２５，３１を発生する不図示の書き込みユニットがある。これら書き込みユニットにディザ処理部１１６の出力データが供給される。
【００２７】
各版の作像ステーション３５，３６，３７，３８，３９の構成・動作は同じであるので、淡ブラック版の作像ステーション３５を例に、その構成と動作を説明する。感光体５の周りに帯電チャージャ６、現像器８、クリーニングブレード９、１次転写チャージャ１０が配置されている。感光体５は図中反時計回りに回転駆動され、帯電チャージャ６によって表面が一様に帯電され、不図示の書き込みユニットで発生された露光ビーム７によって露光されることにより淡ブラック（Ｌｋ）版の静電潜像が形成される。この静電潜像は現像器８によって淡ブラックトナーを用いて現像され、トナー像として可視化させる。このトナー像は１次転写チャージャ１０によって中間転写ベルト４０に転写される。感光体５0上に残留したトナーはクリーニングブレード９によって掻き取られる。
【００２８】
同様にして、作像ステーション３６，３７，３８，３９によって各版のトナー像が形成され、これが中間転写ベルト４０に重ねて転写される。
【００２９】
記録紙１は給紙コロ２によって一枚づつ分離して取り込まれて搬送ローラ対３へ供給され、搬送ローラ対３によって記録紙はレジストローラ対４へ搬送される。レジストローラ対４は不図示のレジストクラッチによってローラの回転、停止を自在にコントロールできる構成となっており、一旦レジストローラ対４で記録紙を停止させる。
【００３０】
全ての版のトナー像が中間転写ベルト４０に転写されると、レジストローラ対４で一旦停止させ待機させておいた記録紙を、中間転写ベルト４０の搬送とタイミングを合わせて搬送させ、２次転写チャージャ４１によって中間転写ベルト４０上のトナー像を記録紙に転写させる。この記録紙を定着器４３を通過させ、熱と圧力を加えてトナー像を記録紙に定着させる。中間転写ベルト４０上の残留トナーは、中間転写クリーナ４２により書き取られる。
【００３１】
次に、色変換部１１５のいくつかの実施例について説明する。
【実施例１】
【００３２】
図３は色変換部１１５の実施例１を示すブロック図である。図３において、エッジ抽出部３０３Ｒ，３０３Ｇ，３０３Ｂと判定部３０４は、画像展開部１１４で展開された画像データ（ＲＧＢデータ）から画像構造が複雑であるか否かを判断する手段を構成するものである。
【００３３】
エッジ抽出部３０３Ｒ，３０３Ｇ，３０３Ｂは、Ｒ，Ｇ，Ｂの各データからエッジ画素を抽出する。具体的には、エッジ抽出部３０３Ｒ，３０３Ｇ，３０３Ｂはそれぞれ、例えば図４の（ａ）に示すエッジ抽出フィルタ及び（ｂ）に示すエッジ抽出フィルタによって各画素のエッジ量を算出し、算出された２つのエッジ量のうちの大きい方のエッジ量が所定値以上であれば当該画素をエッジとして”１”を出力し、そうでなければ”０”を出力する。
【００３４】
判定部３０４は、エッジ抽出部３０３Ｒ，３０３Ｇ，３０３Ｂの出力の１つでも”１”となった画素をエッジ画素として、画像中のエッジ画素の個数をカウントする。そして、そのエッジ画素数が所定値以上であれば画像構造が複雑であると判断して処理制御信号３０５として”１”を出力し、エッジ画素数が上記所定値未満であれば画像構造が複雑でないと判断し処理制御信号３０５として”０”を出力する。すなわち、本実施例では、画像中のエッジ画素数が基準より多いか否かによって画像構造が複雑であるか否かの判断を行っている。
【００３５】
判定部３０４の出力である処理制御信号３０５は色補正処理部３０１に入力される。色補正処理部３０１は、画像展開部１１４で展開された画像のＲＧＢデータをＣＭＹＢｋＬｋデータに変換するものであるが、処理制御信号３０５に応じて濃ブラック（Ｂｋ）と淡ブラック（Ｌｋ）のトナーの使用割合を制御するための手段を含んでいる。
【００３６】
図５に色補正処理部３０１の内部構成を示す。図示のように、色補正処理部３０１は色補正部６０１、墨生成部６０１、ＵＣＲ部６０３及び濃淡分版部６０４から構成されている。
【００３７】
色補正部６０１はＲＧＢデータをＣＭＹデータへ変換する手段である。墨生成６０２はＣＭＹデータから墨成分であるＫデータを生成する手段である。ＵＣＲ（下色除去）部６０３は、墨生成部６０２で生成されたＫデータに基づいてＣＭＹデータから墨成分を差し引く手段である。
【００３８】
ＲＧＢデータからＣＭＹデータへの変換は、さまざまな手法があるが、例えば次のようなマスキング演算によって行われる。
Ｃｏ＝ｃ11×Ｒ＋ｃ12×Ｇ＋ｃ13×Ｂ＋ｃ14
Ｍｏ＝ｃ21×Ｒ＋ｃ22×Ｇ＋ｃ23×Ｂ＋ｃ24
Ｙｏ＝ｃ31×Ｒ＋ｃ32×Ｇ＋ｃ33×Ｂ＋ｃ34
ただし、ｃ11〜ｃ34は予め定められた色補正係数である。
【００３９】
また、Ｋデータは、例えば墨生成パラメータαと墨開始点Ｔｒ１を用いて、
Ｍｉｎ（Ｃｏ，Ｍｏ，Ｙｏ）＞Ｔｈｒ１ならば
Ｋ＝α×（Ｍｉｎ（Ｃｏ，Ｍｏ，Ｙｏ）−Ｔｈｒ１）により計算され、
Ｍｉｎ（Ｃｏ，Ｍｏ，Ｙｏ）≦Ｔｈｒ１ならば
Ｋ＝０
とされる。
【００４０】
ＵＣＲ部６０３は、Ｃｏ，Ｍｏ，ＹｏデータからＫデータに基づいて墨成分を差し引いたＣＭＹデータを生成する。ＣＭＹデータは次式により表される。
Ｃ＝Ｃｏ−β×Ｋ
Ｍ＝Ｍｏ−β×Ｋ
Ｙ＝Ｙｏ−β×Ｋ
ただし、βは墨生成パラメータである。
【００４１】
濃淡分版部６０４は、処理制御信号３０５に基づいて濃，淡ブラックのトナーの使用割合を制御するための手段であり、墨生成部６０２で生成されたＫデータからブラック（Ｂｋ）データと淡ブラック（Ｌｋ）データを生成する。この生成方法は図６に示すような分版テーブルを参照することで行われる。図６の（ａ）の分版テーブルは濃ブラック（Ｂｋ）の開始点が遅く、また、高濃度域でも淡ブラック（Ｌｋ）を多く使う（すなわち濃ブラックのトナーより淡ブラックのトナーの使用割合を多くする）テーブルである。一方、図６の（ｂ）に示す分版テーブルは、濃ブラック（Ｂｋ）の開始点が早く、また、濃ブラック（Ｂｋ）が入り始めると淡ブラック（Ｌｋ）を減らす（すなわち淡ブラックのトナーより濃ブラックのトナーの使用割合を多くする）テーブルである。(a)の分版テーブルを用いた場合には、淡ブラック（Ｌｋ）のトナーを多く使うことになるため、粒状性の優れた画像を形成することができる。一方、(b)の分版テーブルを用いた場合には、中・高濃度域で濃ブラック（Ｂｋ）のトナーみしか使わないことになるため、粒状性は劣るが、版ずれ時の鮮鋭性の劣化を防ぐことができる。
【００４２】
濃淡分版部６０４は、処理制御信号３０５が”１”の場合には、図６の（ｂ）の分版テーブルを使用し、処理制御信号３０５が２０”の場合には、図６の（ａ）の分版テーブルを使用する。つまり、画像中にエッジ画素の割合が多い場合には、粒状性よりも鮮鋭性が重視されると考えられるので、図６（ｂ）の分版テーブルを使用し、版ずれ時の鮮鋭性の劣化を防ぐことを優先する。逆に、画像中にエッジ画素の割合が少ない場合には、粒状性が重視されると考えられるので、図６（ａ）の分版テーブルを使用し、粒状性の向上を優先するわけである。
【００４３】
なお、画像のＲＧＢデータに代えてＣＭＹデータが入力される場合には、色補正部６０１を省き、入力されたＣＭＹデータを墨生成部６０２及びＵＣＲ部６０３で処理することになる。これは後記実施例２，３においても同様である。かかる態様も本実施形態に包含されることはも当然である。
【実施例２】
【００４４】
図７は色変換部１１５の実施例２を示すブロック図である。本実施例と図３に示した前記実施例１との違いは、コマンド解釈部１１３（図１）よりオブジェクトの種類（文字／グラフィック／イメージ）を示すオブジェクト情報４０１が入力すること、判定部４０４がオブジェクト単位でエッジ画素数のカウント及びその判定を行うこと、文字オブジェクトではエッジ画素数に関係なく処理制御信号３０５を”１”に設定することである。エッジ抽出部３０３Ｒ，３０３Ｂ，３０３Ｂの構成及び動作、判定部４０４におけるエッジ画素のカウント及びエッジ画素数の判定の方法、色補正処理部３０１の構成及び動作は前記実施例１と同じである。
【００４５】
例えば、図８に示すような２つのイメージオブジェクト（オブジェクト（１），（３））と１つの文字オブジェクト（オブジェクト（２））からなる文書画像を考える。オブジェクト（２）に対しては判定部４０４は処理制御信号３０５として無条件に”１”を出力する。オブジェクト（１），（３）に対しては、該オブジェクト内のエッジ画素数が所定値以上ならば処理制御信号３０５として”１”を出力し、該オブジェクト内のエッジ画素数が所定値未満ならば処理制御信号３０５として”０”を出力する。そして、色補正部３０１内の濃淡分版部６０４（図５）において、処理制御信号３０５に基づいて前記実施例１の場合と同様に分版テーブルが選択される。ただし、この選択はオブジェクト単位で行われる。
【００４６】
すなわち、本実施例においては、文字オブジェクトでは鮮鋭性が重視されることが明らかなので、図６（ｂ）に示すような中・高濃度域で濃ブラック（Ｂｋ）のトナーみしか使わない分版テーブルを使用することにより、版ずれ時の鮮鋭性の劣化を防ぐことができる。グラフィック又はイメージオブジェクトでは、画像中にエッジ画素が多い場合には、図６（ｂ）のような分版テーブルを使用して版ずれ時の鮮鋭性の劣化を防ぐことができ、一方、エッジ画素数が少ない場合には図６（ａ）のように淡ブラック（ＬＫ）を多く使う分版テーブルを使用することにより粒状性の優れた画像を形成することができる。
【実施例３】
【００４７】
図９は色変換部１１５の実施例３を示すブロック図である。本実施例と図３に示した前記実施例１との違いは、画像構造が複雑か否かを判断するための手段が輝度信号生成部５０３及び周波数解析部５０４に置き換えられていることである。色補正処理部３０１の構成及び動作は前記実施例１と同様である。
【００４８】
輝度信号成生成部５０３は、ＲＧＢデータから輝度信号を生成する手段である。輝度信号は、
輝度信号＝0.299×Ｒ＋0.587×Ｇ＋0.114×Ｂ
で計算される。
【００４９】
周波数解析部５０４は、その輝度信号を周波数空間に変換し、高周波成分が基準より多いか少ないかによって画像構造が複雑であるか否かを判断する手段である。周波数空間への変換は、例えば離散フーリエ変換（ＤＦＴ）によって行う。ＤＦＴは、図１０に示すように、２次元の画像データf(x,y)を２次元の周波数空間データg(u,v)に変換する。ここで、ｕ，ｖは直交する周波数成分であり、u=v=0が直流成分であり、ｕ，ｖが大きいほど高い周波数成分を表す。周波数解析部５０４は、ＤＦＴによって得られた周波数空間データg(u,v)から、ｕまたはｖが所定値以上であるデータの数を計算し、その割合が所定の割合以上である場合に、高周波成分が基準より多い（画像構造が複雑である）と判定し、処理制御信号３０５として”１”を出力する。逆に、その割合が所定の割合未満である場合には、高周波成分が基準より少ない（画像構造が複雑でない）と判定し、処理制御信号３０５として”０”を出力する。
【００５０】
色補正処理部３０１においては、前記実施例1と同様に、濃淡分版部６０４で処理制御信号３０５に従って濃淡分版テーブルを切り換えることにより、画像構造が複雑であるか否かに応じて濃，淡ブラックトナーの使用割合を制御する。すなわち、画像中に高周波成分が多い場合には、粒状性よりも鮮鋭性が重視されると考えられるので、図６（ｂ）の分版テーブルを使用することで、版ずれ時の鮮鋭性の劣化を防ぐことができる。逆に、画像中に高周波成分が少ない場合には、粒状性が重視されると考えられるので、図６（ａ）の分版テーブルを使用することで、粒状性の優れた画像を形成することができる。
【００５１】
なお、本実施例では、ＲＧＢデータから輝度信号を生成し、輝度信号に対して周波数解析を行う。かかる構成によれば、ＲＧＢ各データに対して周波数変換を行う構成に比べ、回路規模を小さくすることができる。
【００５２】
本実施例の変形態様によれば、前記実施例２と同様に、オブジェクト情報が周波数解析部５０４に入力され、周波数解析部５０４において、オブジェクト単位で、周波数解析及び高周波成分量の判定を行い、また、文字オブジェクトでは該オブジェクト内での高周波成分量と無関係に処理制御信号３０５を”１”にする。かかる態様も本実施例に包含される。
【００５３】
＜色補正処理部の変形例＞
前記実施例１，２，３の色補正処理部３０１においては、墨成分であるＫデータを生成し、このＫデータを分版テーブルを用いて濃ブラック（Ｂｋ）と淡ブラック（Ｌｋ）のデータに分版している。しかし、これに限定されるわけではなく、ダイレクトマッピング方式と呼ばれる方法でＲＧＢデータから直接的に同様なＣＭＹＢｋＬｋデータを生成することも可能である。このダイレクトマッピング方式では、ＲＧＢ空間の格子点上における出力ＣＭＹＢｋＬｋデータを保持したルックアップテーブルを用意しておき、入力されたＲＧＢデータ近傍の複数の格子点から補間処理によってＣＭＹＢｋＬｋデータを算出する。よって、淡ブラック（Ｌｋ）を多く使うルックアップテーブルと淡ブラック（Ｌｋ）をあまり使わないルックアップテーブルを用意しておき、それを前記実施例と同様に切り換える構成とすることにより、前記実施例と同様なＣＭＹＢｋＬｋデータを生成させることができる。
【００５４】
＜他の実施形態＞
画像形成装置１００内の画像処理部１１１を、コンピュータ１０１内のプログラムとして実装する形態をとることも可能である。
【００５５】
かかる形態のためのプログラムのフローチャートを図１１に示す。ただし、コマンド解釈部１１３及び画像展開部１１４に対応した処理部分は省略されている。また、ここでは前記実施例２と同様な処理を行うものとしている。
【００５６】
図１１において、まず画像中の１のオブジェクトが文字オブジェクトであるか判定する（ｓｔｅｐ１）。文字オブジェクトであるときには（ｓｔｅｐ１，Ｙｅｓ）、図６（ｂ）に示すような濃ブラック（Ｂｋ）のトナーより淡ブラック（Ｌｋ）のトナーの使用割合が少ない分版テーブルを選択する（ｓｔｅｐ７）。
【００５７】
文字オブジェクトでない場合に（ｓｔｅｐ１，Ｎｏ）、図４に示すようなエッジ抽出フィルタを用いて、当該オブジェクトのＲＧＢデータについてエッジ画素を抽出し（ｓｔｅｐ２）、オブジェクト内のエッジ画素数をカウントする（ｓｔｅｐ３）。
【００５８】
カウントしたエッジ画素数が所定の閾値以上であるかを判定し（ｓｔｅｐ４）、所定閾値以上であるならば（ｓｔｅｐ４，Ｙｅｓ）、図６（ｂ）に示すような淡ブラック（Ｌｋ）トナーの使用割合が少ない分版テーブルを選択する（ｓｔｅｐ６）。エッジ画素数が所定閾値以上でないならば（ｓｔｅｐ４，Ｎｏ）、図６（ａ）に示すような淡ブラック（Ｌｋ）トナーの使用割合が多い分版テーブルを選択する（ｓｔｅｐ５）。
【００５９】
そして、選択された分版テーブルを用いて、当該オブジェクトに対するＣＭＹＢｋＬｋデータを生成し（ｓｔｅｐ８）、このＣＭＹＢｋＬｋデータにディザ処理を施し（ｓｔｅｐ９）、１のオブジェクトに対する処理を終了する。
【００６０】
処理すべきオブジェクトが残っている場合（ｓｔｅｐ１０，Ｎｏ）、次のオブジェクトに対しｓｔｅｐ１からの処理を実行する。同様の処理が全オブジェクトが処理済みとなるまで（ｓｔｅｐ１０，Ｙｅｓ）繰り返される。
【００６１】
このようにして生成されたＣＭＹＢｋＬｋデータを画像形成装置１００へ送り、その作像部１１２で画像形成を行わせることにより、画像構造が複雑な画像については版ずれ時の鮮鋭性の劣化を防ぐことができ、画像構造が複雑でない画像については粒状性の優れた画像形成を行うことができる。
【００６２】
以上の説明から明らかなように、前記実施例１又は３と同様な処理をコンピュータ側でプログラムに実行させることも可能であり、かかる態様も本実施形態に包含される。
【００６３】
以上の説明は本発明に係る画像形成装置の制御方法についての説明でもある。よって、本発明に係る画像形成装置の制御方法についての説明は繰り返さない。
【図面の簡単な説明】
【００６４】
【図１】本発明に係る画像形成装置のブロック図である。
【図２】画像形成装置内の作像部の概略構成図である。
【図３】色変換部の一実施例を示すブロック図である。
【図４】エッジ抽出フィルタの例を示す図である。
【図５】色補正処理部のブロック図である。
【図６】分版テーブルの例を示す図である。
【図７】色変換部の他の実施例を示すブロック図である。
【図８】複数のオブジェクトからなる文書画像の例を示す図である。
【図９】色変換部の他の実施例を示すブロック図である。
【図１０】離散フーリエ変換の説明図である。
【図１１】画像形成装置内の画像処理部をコンピュータ内にプログラムとして実装する形態を説明するためのフローチャートである。
【符号の説明】
【００６５】
１００  画像形成装置
１０１  コンピュータ
１１１  画像処理部
１１２  作像部
１１３  コマンド解釈部
１１４  画像展開部
１１５  色変換部
１１６  ディザ処理部
３０１  色補正処理部
３０３Ｒ，３０３Ｇ，３０３Ｂ  エッジ抽出部
３０４，４０４  判定部
５０３  輝度信号生成部
５０４  周波数解析部
６０１  色補正部
６０２  墨生成部
６０３  ＵＣＲ部
６０４  濃淡分版部
【図１】
2007210183.tif 000003
【図２】
2007210183.tif 000004
【図３】
2007210183.tif 000005
【図４】
2007210183.tif 000006
【図５】
2007210183.tif 000007
【図６】
2007210183.tif 000008
【図７】
2007210183.tif 000009
【図８】
2007210183.tif 000010
【図９】
2007210183.tif 000011
【図１０】
2007210183.tif 000012
【図１１】
2007210183.tif 000013